(57)【要約】【課題】  設計の自由度を制限することなく、どのようなアミューズメント装置にも設置可能なアミューズメント用フレキシブルバイブレータを提供すること。【解決手段】  アミューズメント装置に連動して駆動する駆動源と、駆動源からの回転力を伝達するフレキシブルな回転伝達軸と、回転伝達軸に固定され、回転伝達軸の回転方向と同方向に、偏芯回転可能に複数連結された回転体と、回転体の外周面が内接するように回転伝達軸が挿通されたフレキシブルな筒状体とを備え、筒状体の表面は、回転体が偏芯回転することにより、回転体から生じる押力に応じて変形することを特徴とするアミューズメント用フレキシブルバイブレータ。【選択図】    図１
2007252660.tif 000002
【特許請求の範囲】
【請求項１】
アミューズメント装置に連動して駆動する駆動源と、
前記駆動源からの回転力を伝達するフレキシブルな回転伝達軸と、
前記回転伝達軸に固定され、前記回転伝達軸の回転方向と同方向に、偏芯回転可能に複数連結された回転体と、
前記回転体の外周面が内接するように前記回転伝達軸が挿通されたフレキシブルな筒状体と
を備え、
前記筒状体の表面は、前記回転体が偏芯回転することにより、前記回転体から生じる押力に応じて変形することを特徴とするアミューズメント用フレキシブルバイブレータ。
【請求項２】
前記回転体と前記筒状体との間には、ボールベアリングが介在していることを特徴とする請求項１に記載のアミューズメント用フレキシブルバイブレータ。
【請求項３】
請求項１又は２に記載のアミューズメント用フレキシブルバイブレータと、
複数の椅子と
を備え、
前記アミューズメント用フレキシブルバイブレータは、前記複数の椅子内部を連通し、前記複数の椅子の座部及び／又は背もたれ部を振動させることが可能であることを特徴とするアミューズメント装置。
【発明の詳細な説明】
【技術分野】
【０００１】
本発明は、アミューズメント装置に連動して動作するアミューズメント用フレキシブルバイブレータ、及び、当該アミューズメント用フレキシブルバイブレータを備えたアミューズメント装置に関する。
【背景技術】
【０００２】
近年、アミューズメント関連分野の技術の進歩はめざましく、特に、映画やゲームといった分野では、あたかも自らが映画やゲームの世界に現実に入り込んでいるような感覚を味わうことができるような技術が開発されている。
【０００３】
従来、このような技術として、例えば、電気信号を機械振動に変換するトランスデューサ等の体感手段を椅子に備え、スクリーンに映像を表示するとともに、当該映像に関連して上記椅子を振動させる振動効果装置が存在する（例えば、特許文献１参照）。
【０００４】
特許文献１の振動効果装置によれば、映像に関連して椅子が振動するため、例えば、映画やゲームにおいて、爆発のシーン等に同期させて椅子を振動させることにより、現実に当該シーンを体験しているような感覚を与えることができる。
【０００５】
【特許文献１】特開２００２−２３９２６５号公報
【発明の開示】
【発明が解決しようとする課題】
【０００６】
しかしながら、特許文献１の振動効果装置では、各椅子に夫々個別に体感手段を設置しなければならないため、体感手段を設置するスペースを椅子の横等に別途確保等する必要があり、設計の自由度が制限されるといった問題があった。また、近年、アミューズメント装置の多様化から、各アミューズメント装置に応じたな様々な形状を有した体感手段が必要とされていた。すなわち、どのようなアミューズメント装置に対しても設置可能な体感手段の登場が望まれていた。
【０００７】
本発明は、上述した課題に鑑みてなされたものであり、その目的は、設計の自由度を制限することなく、どのようなアミューズメント装置にも設置可能なアミューズメント用フレキシブルバイブレータ、及び、当該アミューズメント用フレキシブルバイブレータを備えたアミューズメント装置を提供することにある。
【０００８】
以上のような目的を達成するために、本発明は、以下のようなものを提供する。
（１）  アミューズメント装置に連動して駆動する駆動源と、
上記駆動源からの回転力を伝達するフレキシブルな回転伝達軸と、
上記回転伝達軸に固定され、上記回転伝達軸の回転方向と同方向に、偏芯回転可能に複数連結された回転体と、
上記回転体の外周面が内接するように上記回転伝達軸が挿通されたフレキシブルな筒状体と
を備え、
上記筒状体の表面は、上記回転体が偏芯回転することにより、上記回転体から生じる押力に応じて変形することを特徴とするアミューズメント用フレキシブルバイブレータ。
【０００９】
（１）の発明によれば、駆動源からの回転力を伝達するフレキシブルな回転伝達軸に回転体が固定されていて、上記回転体の外周面が内接するように、上記回転伝達軸が、フレキシブルな筒状体に挿通されている。従って、例えば、比較的狭い幅で、振動させたい場合には、真っ直ぐにして設置することができ、比較的広い面積で振動させたい場合には、渦巻き状に設置することができるといったように、設計の自由度を確保することができる。その結果、どのようなアミューズメント装置に対しても設置可能である。
本発明において、アミューズメント装置とは、例えば、映画に関する装置、ゲームに関する装置、遊園地やテーマパーク（特定のテーマに基づいて、施設、イベント、景観などが総合的に構成され演出されたレジャーランド）において用いられる装置等、娯楽に関する施設において用いられる装置をいう。
【００１０】
さらに、本発明は、以下のようなものを提供する。
（２）  （１）に記載のアミューズメント用フレキシブルバイブレータであって、
上記回転体と上記筒状体との間には、ボールベアリングが介在していることを特徴とする。
【００１１】
（２）の発明によれば、回転体と筒状体との間の摩擦を低減し、体重の比較的重い人が座った場合であっても、駆動源が焼けてしまうことを防止することができる。
【００１２】
さらに、本発明は、以下のようなものを提供する。
（３）  （１）又は（２）に記載のアミューズメント用フレキシブルバイブレータと、
複数の椅子と
を備え、
上記アミューズメント用フレキシブルバイブレータは、上記複数の椅子内部を連通し、上記複数の椅子の座部及び／又は背もたれ部を振動させることが可能であることを特徴とするアミューズメント装置。
【００１３】
（３）の発明によれば、アミューズメント用フレキシブルバイブレータが複数の椅子内部を連通し、上記複数の椅子の座部及び／又は背もたれ部を振動させることができる。従って、各椅子に夫々個別に駆動源を設けなくともよいため、さらにスペースを確保することができ、より設計の自由度を確保することができる。また、複数の椅子に対して１の駆動源でよく、設置に際して、全体としての駆動源の数を少なくすることができる。
【発明の効果】
【００１４】
本発明によれば、設計の自由度を制限することなく、どのようなアミューズメント装置にも設置可能なアミューズメント用フレキシブルバイブレータ、及び、当該アミューズメント用フレキシブルバイブレータを備えたアミューズメント装置を提供することが可能である。
【発明を実施するための最良の形態】
【００１５】
図１は、本発明に係るアミューズメント用フレキシブルバイブレータの一例を模式的に示す斜視図である。
アミューズメント用フレキシブルバイブレータ１０（以下、「バイブレータ１０」ともいう）は、駆動源としてのモータ１１と、モータ１１の回転軸と接続された本体部１２とから構成されている。本体部１２は、詳しくは後述するが、自由に湾曲させることが可能であり、湾曲させた状態でその表面を振動させることが可能である。なお、図１では、モータ１１を駆動させるための電源ケーブル等は、図示していない。
【００１６】
図２（ａ）は、図１に示したアミューズメント用フレキシブルバイブレータの中央近傍を示す正面図であり、図２（ｂ）は、そのＡ−Ａ線断面図である。また、図３（ａ）は、該アミューズメント用フレキシブルバイブレータの末端部を示す正面図であり、図３（ｂ）は、その手前側面図である。なお、図２（ａ）、図３（ａ）では、バイブレータ１０の内部構造を説明するために、筒状体１５の一部を省略している。なお、本明細書中では、モータ１１から遠い端部を末端部ともいうこととする。
【００１７】
図２（ａ）に示すように、本体部１２は、円柱形状の回転体１３が固定された回転伝達軸２２と、回転伝達軸２２が挿通された筒状体１５とから構成されている。回転伝達軸２２は、複数の回転軸１４から構成されている。
【００１８】
図２（ａ）、図２（ｂ）に示すように、各回転軸１４には、２つの回転体１３が上下に固定されていて、各回転体１３は、例えば、上側の回転体１３の、回転軸１４から最も遠い外周面が左側にあるときに、下側の回転体１３の、回転軸１４から最も遠い外周面が右側となるように、偏心回転可能に固定されている。
【００１９】
回転軸１４同士は、回転の伝達方向を変換可能なユニバーサルジョイント１６により接続されていて、モータ１１に近い側の回転軸１４から入力された回転が、遠い側の回転軸１４に伝達される。従って、回転伝達軸２２は全体としてフレキシブルとなっている。本実施形態では、ユニバーサルジョイント１６により回転軸１４同士を接続することにより、回転伝達軸２２がフレキシブルとなる場合について説明したが、本発明における回転伝達軸は、フレキシブルであれば、この例に限定されるものではない。
なお、ユニバーサルジョイントは、従来公知の技術（例えば、特開２００４４−０４４６４９公報参照）を採用することができるから、ここでの説明は省略することとする。
【００２０】
筒状体１５は、回転体１３が偏芯回転することにより、回転体１３の外周面からの押力に応じて伸縮し、その押力を外部に伝達可能である。
【００２１】
本発明において、回転体、回転軸、ユニバーサルジョイントの材質は、特に限定されるものではないが、例えば、一般的な機械構造用炭素鋼、白金鋼、特殊用途鋼、非鉄金属等の金属や、樹脂等を挙げることができる。
また、筒状体の材質としては、内部からの押力に応じて適度に伸縮するものであれば特に限定されるものではないが、例えば、各種ゴムや、樹脂等挙げることができる。また、筒状体には、ナイロン織布等からなる繊維補強層が設けられていてもよい。適度に伸縮可能であるとともに、摩擦等により破損することを防止することができるからである。
また、本発明においては、筒状体内に潤滑油が封入されていてもよい。
【００２２】
また、図３（ａ）、図３（ｂ）に示すように、本体部１２の末端部には、ボールベアリング２０が設けられていて、ユニバーサルジョイント１６が、ボールベアリング２０の内側に設けられた固定部２１に一体的に固定されている。従って、最末端部に設けられたユニバーサルジョイント１６は、回転可能であり、ボールベアリング２０の外周部を固定することにより、バイブレータ１０の末端部を固定することができるとともに、回転伝達軸２２の回転を可能とすることができる。
また、図示しないが、本体部１２のモータ１１側の端部にも、ボールベアリングが設けられており、ボールベアリングの内部に設けられた、回転可能な固定部を介して、モータ１１の回転がユニバーサルジョイント１６に伝達される。
【００２３】
このように、バイブレータ１０によれば、モータ１１からの回転力を伝達する回転伝達軸２２に回転体１３が固定されていて、回転体１３の外周面が内接するように回転伝達軸２２が、フレキシブルな筒状体１５に挿通されている。従って、例えば、比較的狭い幅で、振動させたい場合には、真っ直ぐにして設置することができ、比較的広い面積で振動させたい場合には、渦巻き状に設置することができるといったように、設計の自由度を確保することができる。その結果、どのようなアミューズメント装置に対しても設置可能である。
【００２４】
図４は、本発明に係るアミューズメント装置の一例を模式的に示す図である。図５、図６は、アミューズメント用フレキシブルバイブレータの設置方法を説明するための図であり、図５（ａ）は、モータ１１側端部に相当する座席の正面図であり、図５（ｂ）は、該側面図である。また、図６（ａ）は、末端部に相当する座席の正面図であり、図６（ｂ）は、該側面図である。
【００２５】
本実施形態では、本発明におけるアミューズメント装置が映画館で使用される装置である場合について説明する。なお、本発明におけるアミューズメント装置としては、映画館で使用される装置に限らず、例えば、ゲームに関する装置、遊園地やテーマパーク（特定のテーマに基づいて、施設、イベント、景観などが総合的に構成され演出されたレジャーランド）において用いられる装置等、娯楽に関する施設において用いられる装置を挙げることができる。
【００２６】
図４に示すように、本発明のアミューズメント装置５０は、サーバ６０と、映画館８０内に設置された複数の座席９０（本発明の椅子に相当）と、バイブレータ１０とから構成されている。
図４、図５（ａ）、図５（ｂ）に示すように、バイブレータ１０は、各座席列の端に備えられた収納部８１にモータ１１が収納されるとともに、本体部１２が当該列にある複数の座席９０の座部９１を連通している。収納部８１には、モータ１１が接続された制御回路８２が設けられていて、モータ１１は、配線網６６を介したサーバ６０の制御によりその駆動が制御される。
【００２７】
また、図４、図６（ａ）、図６（ｂ）に示すように、本体部１２の末端部では、ボールベアリング２０が、座席９０に設けられた固定板９３に固定されている。
【００２８】
図４に示すように、各座席９０は、スクリーン８５に映し出される映像が見易いように、スクリーン８５に向かうように並べられている。従って、バイブレータ１０は、座席列の並びに従って円弧状に湾曲した状態で各座席９０の座部９１を連通するように配置されることとなる。
【００２９】
サーバ６０は、ＣＰＵ（セントラル・プロセシング・ユニット）６１と、ＲＯＭ（リード・オンリ・メモリ）６２と、ＲＡＭ（ランダム・アクセス・メモリ）６３と、ＨＤＤ（ハードディスクドライブ）６４とを備えており、Ｉ／Ｆ（インターフェイス回路）６５により、配線網６６を介して、各収納部８１内の制御回路８２と接続されている。
【００３０】
ＣＰＵ６１は、ＲＯＭ６２又はＨＤＤ６４に記憶されたプログラムを実行し、例えば、バイブレータ１０を所定のタイミングで駆動させる。
ＲＯＭ６２には、サーバ６０の動作を制御するためのプログラム等が記憶されている。ＲＡＭ６４には、バイブレータ１０の駆動に係る処理を行うためのデータ等、各種のデータが一時的に記憶される。ＨＤＤ６４には、例えば、バイブレータ１０の駆動に係る処理を実行するためのプログラム、映画館８０で上映される映画とバイブレータ１０の動作とのタイミングに関するタイムチャートに関するデータ等、各種のプログラムやデータが記憶されている。
【００３１】
映画館８０では、映画が上映されるとその映像の内容に応じて、バイブレータ１０が駆動する。従って、座席９０に座っている観客は、映像と連動した振動により、現実に当該シーンを体験しているような体験をすることができる。
【００３２】
このように、アミューズメント装置５０によれば、アミューズメント用フレキシブルバイブレータ１０が複数の座席９０の内部を連通し、複数の椅子９０の座部９１を振動させることができる。従って、各椅子９０に夫々個別にモータ１１を設けなくともよいため、さらにスペースを確保することができ、より設計の自由度を確保することができる。また、複数の椅子９０に対して１のモータでよく、設置に際して、全体としてのモータ１１の数を少なくすることができる。
なお、本実施形態では、座部９１を振動させる場合について説明したが、背もたれ部９２を振動させることとしてもよく、座部９１と背もたれ部９２との両方を振動させることとしてもよい。この場合、背もたれ部９２及び／又は背もたれ部９２を連通するように、バイブレータ１０を湾曲させながら設置すればよい。
【００３３】
図７は、アミューズメント用フレキシブルバイブレータの他の設置方法を説明するための図であり、図７（ａ）は、座席の正面図であり、図７（ｂ）は、該右側面図であり、図７（ｃ）は、左側面図である。
図７（ａ）、図７（ｂ）に示すように、収納部１８１は、座部１９１の下部に設けられている。バイブレータ１０は、収納部１８１にモータ１１１が収納されるとともに、本体部１１２が収納部１８１から座部１９１に向かって湾曲し、座部１９１を貫通している。バイブレータ１０の末端部は、図７（ｃ）に示すように、ボールベアリング１２０が、座席１９０に設けられた固定板１９３に固定されている。このような設置方法であれば、バイブレータ１０を既存の座席に後から簡単に設置することが可能となる。
【００３４】
図８（ａ）は、本発明に係るアミューズメント用フレキシブルバイブレータの他の一例を示す正面図であり、図８（ｂ）は、そのＡ−Ａ線断面図である。
図８（ａ）、図８（ｂ）に示すアミューズメント用フレキシブルバイブレータ１１０（以下、バイブレータ１１０ともいう）は、図１に示したバイブレータ１０と略同様の構造を有しているが、各回転体１１３の外周面に沿うように、各回転体１１３と筒状体１１５との間にボールベアリング１３０が夫々設けられている点でバイブレータ１０と異なる。
このように、バイブレータ１１０によれば、各回転体１１３と筒状体１１５との間にボールベアリング１３０が介在しているため、回転体１１３と筒状体１１５との間の摩擦を低減し、体重の比較的重い人が座った場合であっても、モータ１１１が焼けてしまうことを防止することができる。
【００３５】
本実施形態では、すべての回転体１１３にボールベアリング１３０が設けられている場合について説明したが、本発明においては、この例に限定されず、一部の回転体のみに設けられていることとしてもよい。
【００３６】
以上、本発明の実施形態を説明したが、具体例を例示したに過ぎず、特に本発明を限定するものではなく、各手段等の具体的構成は、適宜設計変更可能である。また、本発明の実施形態に記載された効果は、本発明から生じる最も好適な効果を列挙したに過ぎず、本発明による効果は、本発明の実施形態に記載されたものに限定されるものではない。
【図面の簡単な説明】
【００３７】
【図１】本発明に係るアミューズメント用フレキシブルバイブレータの一例を模式的に示す斜視図である。
【図２】（ａ）は、図１に示したアミューズメント用フレキシブルバイブレータの中央近傍を示す正面図であり、（ｂ）は、そのＡ−Ａ線断面図である。
【図３】（ａ）は、図１に示したアミューズメント用フレキシブルバイブレータの末端部を示す正面図であり、（ｂ）は、その側面図である。
【図４】本発明に係るアミューズメント装置の一例を模式的に示す図である。
【図５】（ａ）、（ｂ）は、アミューズメント用フレキシブルバイブレータの設置方法を説明するための図である。
【図６】（ａ）、（ｂ）は、アミューズメント用フレキシブルバイブレータの設置方法を説明するための図である。
【図７】（ａ）〜（ｃ）アミューズメント用フレキシブルバイブレータの他の設置方法を説明するための図である。
【図８】（ａ）は、本発明に係るアミューズメント用フレキシブルバイブレータの他の一例を示す正面図であり、（ｂ）は、そのＡ−Ａ線断面図である。
【符号の説明】
【００３８】
１０、１１０  アミューズメント用フレキシブルバイブレータ
１１、１１１  モータ
１２、１１２  本体部
１３、１１３  回転体
１４、１１４  回転軸
１５、１１５  筒状体
１６、１１６  ユニバーサルジョイント
２０、１２０  ボールベアリング
２１  固定部
２２、１２２  回転伝達軸
１３０  ボールベアリング
５０  アミューズメント装置
６０  サーバ
８０  映画館
８１、１８１  収納部
８２  制御回路
９０、１９０  座席
９１、１９１  座部
９２、１９２  背もたれ部
【図１】
2007252660.tif 000003
【図２】
2007252660.tif 000004
【図３】
2007252660.tif 000005
【図４】
2007252660.tif 000006
【図５】
2007252660.tif 000007
【図６】
2007252660.tif 000008
【図７】
2007252660.tif 000009
【図８】
2007252660.tif 000010